(57)【要約】      （修正有） 【課題】内部に投入した物体を撹拌して混合する機能を有するカップであって、撹拌の速度を容易に制御でき、投入した物体の撹拌、温度を冷ます操作を容易に達成することのできる、撹拌機能を有するカップを提供する。【解決手段】カップ本体１０と、カップ本体を支持する支持座２０と、カップ本体に連結する単方向連動部材３１１の下に歯車３１２を設けてなり、かつ支持座に回動自在に設ける回転部材を含む伝動手段３０と、軸方向に沿って上下に往復運動をするように支持座に設け、かつ一端を支持座から突起する押し圧部４３とするとともに、他端に螺刻して作動部４１とし、作動部が伝動手段を連動させる、起動部材４０と、支持座に設け、付勢力によって起動部材を元の位置に復帰させる弾性体５０と、を具えてなる。【選択図】図２
0003187443.tif 000002
【実用新案登録請求の範囲】
【請求項１】
撹拌しようとする物体を投入するカップ本体と、
該カップ本体を支持する支持座と、
該カップ本体に連結する単方向連動部材の下に歯車を設けてなり、かつ該支持座に回動自在に設ける回転部材を含む伝動手段と、
軸方向に沿って上下に往復運動をするように該支持座に設け、かつ一端を該支持座から突起する押し圧部とするとともに、他端に螺刻して作動部とし、該作動部が該伝動手段を連動させる、起動部材と、
該支持座に設け、付勢力によって該起動部材を元の位置に復帰させる弾性体と、を具えてなることを特徴とする撹拌機能を有するカップ。
【請求項２】
前記カップ本体の外部底面に、該伝動手段の単方向連動部材に嵌着する回転軸を設けることを特徴とする請求項１に記載の撹拌機能を有するカップ。
【請求項３】
前記伝動手段の単方向連動部材が、単方向軸受けであることを特徴とする請求項１に記載の撹拌機能を有するカップ。
【請求項４】
前記支持座に複数の発光体と、該伝動手段に連動して回転し、電気エネルギーを発生する発電ユニットと、該発電ユニットと該発光体に電気的に接続し、該発光体の発光を制御する制御回路と、を設けることを特徴とする請求項１に記載の撹拌機能を有するカップ。
【請求項５】
前記支持座に、該発電ユニットから発生する電気エネルギーを蓄積する二次電池をさらに設けることを特徴とする請求項４に記載の撹拌機能を有するカップ。
【請求項６】
前記支持座に、外部接続した電子装置に電力を供給するためのソケットを設けることを特徴とする請求項５に記載の撹拌機能を有するカップ。
【請求項７】
前記伝動手段が、該回転部材と、
該回転部材の該歯車に歯合する平歯車上に第２かさ歯車を設けてなる歯車ユニットと、
該第２かさ歯車に歯合する第１かさ歯車と、該第１かさ歯車の一方の面に設け、該起動部材の作該動部に歯合するピニオンギアとによってなる連動部材と、を具えてなり、かつ該起動部材の該作動部は複数の歯を直線状に形成してラックとすることを特徴とする請求項１に記載の撹拌機能を有するカップ。
【請求項８】
前記カップ本体内に、少なくとも一以上の撹拌を行う部材を設けることを特徴とする請求項１に記載の撹拌機能を有するカップ。
【考案の詳細な説明】
【技術分野】
【０００１】
この考案は、食器であるカップに関し、特に撹拌機能を具える飲料用のカップに関する。
【背景技術】
【０００２】
通常、インスタントコーヒー、もしくはその他粉末、顆粒状の紅茶、乳飲料などを飲料にして飲む場合は、該粉末、顆粒などをカップなどの容器に投入し、さらに熱湯を入れて撹拌する。但し、これらインスタントコーヒー、もしくはその他粉末、顆粒状の紅茶、乳飲料などを完全に混合させるには、ある程度の時間継続して撹拌しなければならない。さらに熱湯を注いだ場合、飲みやすい温度まで下げるためにある程度の時間継続して撹拌する必要がある。
【０００３】
上述する攪拌の操作は、通常マドラーや箸などのスティック状物、もしくはスプーンなどの攪拌用物品を手に持ちカップ内の飲料を攪拌する。しかしながら、係る攪拌を行うためには、先決条件として該攪拌用物品を用意しなければならない。のみならず、攪拌を行う過程において、不当な力を加えると、カップ内の飲料が跳びだして火傷する恐れがある。しかも、継続して攪拌すると手が容易に疲れる。よって、係る攪拌は、実に不便である。
【０００４】
そこで、撹拌機能を有するカップが開発された。台湾実用新案登録第Ｍ４０５２４３号は、公報の開示によれば、カップ内に撹拌棒を具え、押し圧を受けて該撹拌棒を回転させる手段を具えてなり、カップ内の物質を均一に混合する機能を有する。
【０００５】
然しながら、上述する撹拌棒を具えるカップは、次に掲げる欠点を有する。即ち、該撹拌棒がカップ底面に設けられて、カップ内の物質の撹拌、混合を行うものの、カップ自体が固定されていて回転しないため、カップの底部において撹拌の作用が得られるが、撹拌の効果に限りがある。
【０００６】
また、押し圧を受けて伝動する手段、伝動を受けて回転運動をする手段などは、ラックギア、歯車などによってなり、係る伝動構造によって該撹拌棒を回転させる。但し、伝動を受けて回転運動をする手段と撹拌棒との間には、例えば単方向軸受けなどの回転する方向を単一方向に限定する手段が設けられていない。
【０００７】
したがって、該押し圧を受けて伝動する手段を押し圧して該撹拌棒を回転させると、該押し圧を受けて伝動する手段は、付勢力によって逆方向に移動し、元の位置に復帰する。この場合、該伝動を受けて回転運動をする手段と該撹拌棒の一端は、継続して歯合した状態となっている。この状態において再度該押し圧を受けて伝動する手段を押し圧すると、該押し圧を受けて伝動する手段によって起動される方向と、該撹拌棒が回転する方向が逆になる。このため抵抗力が発生するとともに、歯合のデッドロック現象が容易に発生し、該押し圧を受けて伝動する手段を順調に押し圧することができなくなる。同時に、該撹拌棒の回転する速度を制御することができなくなる。
【０００８】
また、上述するように該押し圧を受けて伝動する手段が元の位置に復帰する過程において該撹拌棒が逆方向に回転する。したがって、同一方向への回転を持続させることができなくなる。
【先行技術文献】
【特許文献】
【０００９】
台湾実用新案登録第Ｍ４０５２４３公報
【考案の概要】
【考案が解決しようとする課題】
【００１０】
この考案は、内部に投入した物体を撹拌して混合する機能を有するカップであって、撹拌の速度を容易に制御でき、かつ投入した物体の撹拌、温度を冷ます操作を容易に達成することのできる、撹拌機能を有するカップを提供することを課題とする。
【課題を解決するための手段】
【００１１】
そこで、本考案者は、従来の技術に見られる欠点に鑑み鋭意研究を重ねた結果、撹拌しようとする物体を投入するカップ本体と、該カップ本体を支持する支持座と、該カップ本体に連結する単方向連動部材の下に歯車を設けてなり、かつ該支持座に回動自在に設ける回転部材を含む伝動手段と、軸方向に沿って上下に往復運動をするように該支持座に設け、かつ一端を該支持座から突起する押し圧部とするとともに、他端に螺刻して作動部とし、該作動部が該伝動手段を連動させる、起動部材と、該支持座に設け、付勢力によって該起動部材を元の位置に復帰させる弾性体と、を具えてなる撹拌機能を有するカップによって課題を解決できる点に着眼し、係る知見に基づいて本考案を完成させた。以下、この考案について具体的に説明する。
【００１２】
請求項１に記載する撹拌機能を有するカップは、撹拌しようとする物体を投入するカップ本体と、該カップ本体を支持する支持座と、該カップ本体に連結する単方向連動部材の下に歯車を設けてなり、かつ該支持座に回動自在に設ける回転部材を含む伝動手段と、軸方向に沿って上下に往復運動をするように該支持座に設け、かつ一端を該支持座から突起する押し圧部とするとともに、他端に螺刻して作動部とし、該作動部が該伝動手段を連動させる、起動部材と、該支持座に設け、付勢力によって該起動部材を元の位置に復帰させる弾性体と、を具えてなる。
【００１３】
請求項２に記載する撹拌機能を有するカップは、請求項１におけるカップ本体の外部底面に、該伝動手段の単方向連動部材に嵌着する回転軸を設ける。
【００１４】
請求項３に記載する撹拌機能を有するカップは、請求項１もおける伝動手段の単方向連動部材が、単方向軸受けである。
【００１５】
請求項４に記載する撹拌機能を有するカップは、請求項１における支持座に複数の発光体と、該伝動手段に連動して回転し、電気エネルギーを発生する発電ユニットと、該発電ユニットと該発光体に電気的に接続し、該発光体の発光を制御する制御回路と、を設ける。
【００１６】
請求項５に記載する撹拌機能を有するカップは、請求項４における支持座に、該発電ユニットから発生する電気エネルギーを蓄積する二次電池をさらに設ける。
【００１７】
請求項６に記載する撹拌機能を有するカップは、請求項５における支持座に、外部接続した電子装置に電力を供給するためのソケットを設ける。
【００１８】
請求項６に記載する撹拌機能を有するカップは、請求項１における前記伝動手段が、該回転部材と、該回転部材の該歯車に歯合する平歯車上に第２かさ歯車を設けてなる歯車ユニットと、該第２かさ歯車に歯合する第１かさ歯車と、該第１かさ歯車の一方の面に設け、該起動部材の作該動部に歯合するピニオンギアとによってなる連動部材と、を具えてなり、かつ該起動部材の該作動部は複数の歯を直線状に形成してラックとする。
【００１９】
請求項８に記載する撹拌機能を有するカップは請求項１におけるカップ本体内に、少なくとも一以上の撹拌を行う部材を設ける。
【考案の効果】
【００２０】
この考案による撹拌機能を有するカップは、カップ内に投入した物体の撹拌を簡易な操作で行うことができ、かつ撹拌の速度を容易に制御でき、カップ本体の同一方向への回転を維持して円滑な回転を達することから、実用的で、使用上の利便性が得られるのみならず、カップ本体を着脱自在に設けるため、カップ本体の洗浄が容易になり、衛生的である。さらに、発光体を設けることによって、外観上の好ましい美観が得られ、外部接続する電子装置に電気エネルギーを供給することもできるなど、商品としての高い付加価値を具える。
【図面の簡単な説明】
【００２１】
【図１】この考案における撹拌機能を有するカップの構造を示した説明図である。
【図２】図１開示するカップの分解図である。
【図３】図１開示するカップを使用する状態における断面図である。
【図４】この考案におけるベース部の構造を示した説明図である。
【図５】この考案におけるカップの撹拌の動作を示した説明図である。
【図６】図４に開示するベース部における動作を示した説明図である。
【図７】第２の実施の形態によるベース部の構造を示した説明図である。
【図８】第２の実施の形態によるカップの動作を示した説明図である。
【図９】第３の実施の形態によるカップの構造を示した分解図である。
【図１０】第３の実施の形態によるカップの構造を示した断面図である。
【図１１】図１０開示するカップのベース部の構造を示した平面部である。
【図１２】第３の実施の形態によるカップの撹拌の動作を示した説明図である。
【図１３】図１１に開示するベース部における動作を示した説明図である。
【図１４】第４の実施の形態によるベース部の構造を示した説明図である。
【図１５】第４の実施の形態によるカップの動作を示した説明図である。
【図１６】この考案におけるカップ本体の他の実施の形態を示した説明図である。
【図１７】この考案におけるカップ本体のその他の実施の形態を示した説明図である。
【考案を実施するための形態】
【００２２】
この考案は、内部に投入した物体を撹拌して混合する機能を有するカップであって、該撹拌の速度を容易に制御でき、投入した物体の撹拌、温度を冷ます操作を容易に達成することのできる、撹拌機能を有するカップを提供するものであって、撹拌しようとする物体を投入するカップ本体と、該カップ本体を支持する支持座と、該カップ本体に連結する単方向連動部材の下に歯車を設けてなり、かつ該支持座に回動自在に設ける回転部材を含む伝動手段と、軸方向に沿って上下に往復運動をするように該支持座に設け、かつ一端を該支持座から突起する押し圧部とするとともに、他端に螺刻して作動部とし、該作動部が該伝動手段を連動させる、起動部材と、該支持座に設け、付勢力によって該起動部材を元の位置に復帰させる弾性体と、を具えてなる。係るカップの構造と特徴を詳述するために、具体的な実施例を挙げ、図面を参照にして以下に説明する。
【実施例１】
【００２３】
図１、２に開示するように、この考案によるカップは、カップ本体１０と、支持座２０と、伝動手段３０と、起動部材４０と、弾性体５０とを含んでなり、図５に開示するように、起動部材４０を操作することによってカップ本体１０を回転させ、カップ本体１０内の液体などの物体を撹拌するとともに、高温の飲料を投入した場合、温度を冷ます効果を達成する。同時に起動部材４０を継続的に操作することによって、カップ本体１０の回転速度を容易に制御することができる。カップ本体１０に投入する物体は、例えば液体、粉末、固体、もしくはこれらの組み合わせである。
【００２４】
図１、２に開示するように、カップ本体１０内部には、底面から突起する、少なくとも１以上の攪拌翼１１を設け、かつカップ本体１０の外部底面には回転軸１２を設ける。
【００２５】
支持座２０は、カップ本体１０の形状にほぼ沿って形成し、カップホルダー２１と、ベース部２０とによってなる。カップホルダー２１と、ベース部２２との間には、伝動手段３０などを設ける収納空間を形成する。
【００２６】
カップホルダー２１には、外径が容器１０に比してやや広いカップ収納部２１２を形成し、カップ本体１０をカップ収納部２１２に着脱自在に収納するとともに、外周面には把持部２１１を一体に形成する。また、カップホルダー２１の外周壁には、起動部材４０を収納する垂直収納室２１３を形成する。好ましくは、垂直収納室２１３は把持部２１１に近接した位置に設ける。また、垂直収納室２１３内には内壁が迫り出して環状突縁２１４を形成して垂直収納室２１３を上部と下部に分ける。
【００２７】
図２、３、４に開示するように、伝動手段３０は、回転部材３１と、歯車ユニット３２と、連動部材３３とによってなり、支持座２０のベース部２２に位置決め柱２２１を形成し、回転部材３１を位置決め柱２２１に回転自在に設ける。回転部材３１は、例えば単方向軸受けである単方向連動部材３１１の下に歯車３１２を設けてなり、単方向連動部材３１１はカップ本体１０の外部底面に形成した回転軸１２を嵌装する。よって、回転部材３１は、単一の方向にのみカップ本体を回転させる。
【００２８】
歯車ユニット３２は、伝動手段３０の歯車３１２に歯合する平歯車３２１と、平歯車３２１の下側に設けられる伝動歯車３２２とによってなる。
【００２９】
連動部材３３は、歯車ユニット３２の伝動歯車３２２に歯合する連動歯車３３２上に連動軸３３１を立設してなり、連動軸３３２は内ねじを形成した螺合部３３３と、支持脚状に一体に形成した下部とによってなる。連動軸３３１は、カップホルダー２１の垂直収納室２１３に下方から挿入し、上端が垂直収納室２１３の環状突縁２１４に当接する。
【００３０】
起動部材４０は、外周に螺刻した作動部４１と、上端に近接した位置に形成する鍔部４２と、鍔部４２から上端に至る部分であり、断面が多角形を呈する押圧部４３とによってなり、軸方向に沿って上下に往復運動をするようにカップホルダー２１の垂直収納室２１３に挿設する。この場合、垂直収納室２１３には弾性体５０を設け、起動部材４０は一端が弾性体５０と環状突縁２１４を通過して連動部材３３の連動軸３３２に形成した螺合部３３３に螺合する。実施例において弾性体５０はコイルばねである。弾性体５０は下端が環状突縁２１４に当接し、上端が起動部材４０に当接する。
【００３１】
また、起動部材４０を挿設した垂直収納室２１の上端には、環状の当止片２１５を嵌着して、起動部材４０の回転と上方へ移動する動作を制限する。即ち、当止片２１５の中央の孔は、起動部材４０の押圧部４３の横断面の形状に沿った多角形とし、起動部材４０は、押し圧部４３が当止片２１５の孔を通過してカップホルダー２１から突起するように設けられる。よって、起動部材４０は当止片２１によって回転が制限される。さらに、鍔部４２が当止片２１５に当止することによって、起動部材４０が上方に抜け出ることがない。
【００３２】
上述する構成によって、起動部材４０を押し圧すると、下方に移動して連動部材３３を回転させ、弾性体５０の付勢力によって元の位置に復帰する。この場合、鍔部４２が当止片２１５に当止することから、上方に抜け出ることがない。
【００３３】
起動部材４０、回転部材３１について、高回転比とする必要がなく、構造を簡易化して製造コストを節減したい場合には、歯車ユニット３２を設けず、連動部材３３の連動歯車３３２が回転部材３１の歯車３１２に直接歯合するように構成してもよい。
【００３４】
図５、６に開示するように、この考案によるカップを使用する場合、カップ本体１０に撹拌する液体などの物体を投入して起動部材４０を押し圧すると、起動部材４０は回転することなく下方に移動し、作動部４１に歯合する連動部材３３の連動軸３３２が回転し、歯車ユニット３２の伝動歯車３２２と平歯車３２１とが連動して回転し、平歯車３２１に歯合する伝動手段３０の歯車３１２が回転して回転部材３１が回転し、最終的に回転軸１２を介してカップ本体１０が回転する。カップ本体１０内には攪拌翼１１が設けられているため、カップ本体１０に投入した液体などの物体が撹拌され、また投入した物体が高温の飲料である場合は、撹拌することによって温度を冷ます作用が得られる。
【００３５】
起動部材４０を押し圧してカップ本体１０を回転させると、弾性体５０の付勢力によって上方に移動して元の位置に復帰する。係る起動部材４０の元の位置に復帰する過程において、回転部材３１に単方向連動部材３１１が設けられているため、回転部材３１と回転軸１２との間には連動関係がなく、抵抗力が発生しない。このため、起動部材４０を連続して押し圧する動作を容易に行うことができる。起動部材４０が連続して往復運動を行うと、カップ本体１０は継続して回転する。よって、起動部材４０を連続して押し圧することによって、カップ本体１０が撹拌する速度を制御することができる。
【００３６】
前述する起動部材４０が上方に移動して元の位置に復帰する過程において、回転軸１２は逆方向に回転しない。よって、カップ本体は同一方向に継続して回転する。
【実施例２】
【００３７】
図７、８に第２の実施の形態を開示する。第２の実施の形態は第１の実施の形態と同様の構造を有するが、支持座２１０のカップホルダー２１には、例えば発光ダイオードなどの複数の発光体２３を設け、カップホルダー２１と、ベース部２２との間には、発光体２３に電気的に接続する発電ユニット６１と、二次電池６２と、制御回路６３と、ソケット６４を設ける。
【００３８】
発電ユニット６１は、外部からトルクが入力して回転して発電するものであるが、発電の原理、もしくは内部の構造は従来の技術に属するので、ここでは説明を割愛する。
【００３９】
第２の実施の形態においては、発電ユニット６１は歯車ユニット３２の平歯車３２１に歯合して回転し発電する。
【００４０】
二次電池６２は、発電ユニット６１が発電した電気エネルギーを蓄積する。
【００４１】
制御回路６２は発光体２３に電気的に接続して発光を制御する。
【００４２】
起動部材４０を下方に押し圧すると、歯車ユニット３２の平歯車３２１が回転し、発電ユニット６１が連動して回転する。発生した電気エネルギーは発光体２３に出力され、発光体２３が発光する。発光によって好ましい外観と趣致を達成することができ、発電ユニット６１が発電した電気エネルギーは二次電池６２に蓄積することができる。
【００４３】
複数の発光体２３は、制御回路６３の制御によって、全体が継続して点灯するか、点滅するか、一部が継続して点灯するか、点滅するか、もしくは点滅するパターンが交錯するか、またはランダムに点滅するなど、任意の発光の形態をとすることができる。
【００４４】
ソケット６４には、例えば携帯電話機、タブレットＰＣ、携帯式電源供給器などの電子装置６５を外部接続して、二次電池６２に蓄積した電力を供給することができる。よって、この第２の実施の形態によるカップは、電子装置６５の電力が切れた場合、臨時に電力を供給することができる。よって、高い実用性と利便性を達成することができる。
【実施例３】
【００４５】
図９、１０、１１に第３の実施の形態を開示する。図面によれば、伝動手段３０は、回転部材３１と、歯車ユニット３４と、連動部材３５とによってなり回転部材３１の構造は第１の実施の形態と同様である。歯車ユニット３４は、回転部材３１の歯車３１２に歯合する平歯車３４１上に第２かさ歯車３４２を設けてなり、連動部材３５は、第２かさ歯車３４２に歯合する第１かさ歯車３５１と、第１かさ歯車３５１の一方の面に設け、起動部材４０の作動部４１に歯合するピニオンギア３５２とによってなる。起動部材４０の作動部４１は複数の歯を直線状に形成してラックとする。
【００４６】
図１１、１２、１３に開示するように、第２の実施の形態によるカップを使用する場合、第１の実施の形態と同様に、起動部材４０を下方に押し圧すると、連動部材３５のピニオンギア３５２が回転し、第１かさ歯車３５１、第２かさ歯車３４２、平歯車３４１が連動して回転し、回転部材３１が回転し、回転軸１２を駆動してカップ本体１０を回転させる。このためカップ本体１０に投入した液体などの物体が撹拌され、また投入した物体が高温の飲料である場合は、撹拌することによって温度を覚ます作用が得られる。
【実施例４】
【００４７】
図１４、１５に、第４の実施の形態を開示する。図面によれば、上述する第４の実施の形態は、同様に支持座２１０のカップホルダー２１に、例えば発光ダイオード、ＥＬ、ＬＣＤなどの複数の発光体２３を設け、カップホルダー２１と、ベース部２２との間には、発光体２３に電気的に接続する発電ユニット６１と、二次電池６２と、制御回路６３と、ソケット６４を設ける。
【００４８】
同様に起動部材４０を下方に押し圧すると、発電ユニット６１が電気エネルギーを発光体２３に出力して、発光体２３が発光する。発光によって好ましい外観と趣致を達成することができ。発電ユニット６１が発電した電気エネルギーは二次電池６２に蓄積することができ、またソケット６４を介して外部接続した電子装置６５に供給することができる。
【００４９】
また、図１６に開示するように、カップ本体１０の内周壁には、円弧を描く複数のリブ状撹拌突起１３を形成して撹拌翼１１に替えてもよい。この場合、螺旋状の撹拌作用が得られ、撹拌の効果が高まる。
【００５０】
また、図１７に開示するように撹拌翼１１と複数のリブ状撹拌突起１３とを形成してもよい。この場合、さらに好ましい撹拌の効果が得られる。
【００５１】
またカップホルダー２１の外周面には、例えばアクリルなどの光透過性を有する材質で透明保護（図示しない）を形成するとともに、該透明保護層に図形、文字、もしくはこれらの組み合わせをなす複数の凹状部を形成してもよい。この場合、該凹状部の導光、集光作用によって、該図形、文字、もしくはこれらの組み合わせが発光して
顕著に現れる効果が得られる。
【００５２】
また、該透明保護層上に集光、もしくは吸光作用を有する材料で図形、文字、もしくはこれらの組み合わせ（図示しない）を形成してもよい。例えば蛍光材料をスクリーン印刷で付着させる。この場合、発光体２３が発光すると、同様に該図形、文字、もしくはこれらの組み合わせが発光して顕著に現れる効果が得られる。
【符号の説明】
【００５３】
１０          カップ本体
１１          撹拌翼
１２          回転軸
１３          リブ状撹拌突起
２０          支持座
２１          カップホルダー
２１１        把持部
２１２        カップ収納部
２１３        垂直収納部
２１４        環状突縁
２１５        当止片
２２          ベース部
２３          発光体
２２１        位置決め柱
３０          伝動手段
３１          回転部材
３１１        単方向連動部材
３１２        歯車
３２          歯車ユニット
３２１        平歯車
３２２        伝動歯車
３３          連動部材
３３１        連動軸
３３２        連動歯車
３３３        螺合部
４０          起動部材
４１          作動部
４２          鍔部
４３          押し圧部
５０          弾性体
６１          発電ユニット
６２          二次電池
６３          制御回路
６４          ソケット
６５          電子装置
【図１】
0003187443.tif 000003
【図２】
0003187443.tif 000004
【図３】
0003187443.tif 000005
【図４】
0003187443.tif 000006
【図５】
0003187443.tif 000007
【図６】
0003187443.tif 000008
【図７】
0003187443.tif 000009
【図８】
0003187443.tif 000010
【図９】
0003187443.tif 000011
【図１０】
0003187443.tif 000012
【図１１】
0003187443.tif 000013
【図１２】
0003187443.tif 000014
【図１３】
0003187443.tif 000015
【図１４】
0003187443.tif 000016
【図１５】
0003187443.tif 000017
【図１６】
0003187443.tif 000018
【図１７】
0003187443.tif 000019